【手続補正書】
【提出日】平成26年12月29日(2014.12.29)
【手続補正１】
【補正対象書類名】特許請求の範囲
【補正対象項目名】全文
【補正方法】変更
【補正の内容】
【特許請求の範囲】
【請求項１】
可搬型の記録媒体に記録された媒体識別情報に基づき、複数のゲーム機が設置されたゲーム場において支払い料金に応じた所定時間のプレイを可能とするゲーム場運営システムであって、
前記ゲーム機のそれぞれに対応して配置され、前記記録媒体から前記媒体識別情報を取得する記録媒体読取手段と、
プレイ可能な期限を示すプレイ有効期限情報と過去最後にプレイしたゲーム機および時刻を特定可能なプレイ履歴情報とを前記媒体識別情報に関連付けて記憶するプレイ情報格納手段と、
過去最後にプレイしたゲーム機以外のゲーム機でのプレイを禁止する規制時間を示すプレイ禁止規制時間情報を記憶するプレイ禁止規制時間情報格納手段と、
前記記録媒体読取手段が前記媒体識別情報を取得した場合、取得された前記媒体識別情報に対応する前記プレイ有効期限情報および前記プレイ履歴情報と前記プレイ禁止規制時間情報とに基づき、当該記録媒体読取手段に対応する現在のゲーム機でのプレイが可能であるか否かを判定するプレイ可否判定手段と、
前記プレイ可否判定手段による判定結果に基づき、前記媒体識別情報を取得した前記記録媒体読取手段に対応する前記ゲーム機に対してプレイの開始を可能とするプレイ可能信号を出力するプレイ可能信号生成手段と、
を備えるゲーム場運営システム。
【請求項２】
可搬型の記録媒体に記録された媒体識別情報に基づき、複数のゲーム機が設置されたゲーム場において支払い料金に応じた所定時間のプレイを可能とするゲーム場運営方法であって、
プレイ可能な期限を示すプレイ有効期限情報と過去最後にプレイしたゲーム機および時刻を特定可能なプレイ履歴情報とを前記媒体識別情報に関連付けて記憶すると共に、過去最後にプレイしたゲーム機以外のゲーム機でのプレイ禁止規制時間を示すプレイ禁止規制時間情報を記憶し、
前記ゲーム機に対応して配置された記録媒体読取手段により前記記録媒体に記録された前記媒体識別情報が取得された場合、取得された前記媒体識別情報に対応する前記プレイ有効期限情報および前記プレイ履歴情報と前記プレイ禁止規制時間情報とに基づき、当該記録媒体読取手段に対応する現在のゲーム機でのプレイが可能であるか否かを判定し、当該判定結果に基づきプレイ可能信号生成手段が現在のゲーム機に対してプレイの開始を可能とするプレイ開始信号を出力する
ゲーム場運営方法。
【手続補正２】
【補正対象書類名】明細書
【補正対象項目名】００３２
【補正方法】変更
【補正の内容】
【００３２】
カード払出装置２４０Ａは、プリペイドカード１ａを払い出す機能を有している。カード払出装置２４０Ａは、筐体２０１の正面左側において表示器２１１の下方に配置された横長スリット状のカード払出口２４１Ａと、カード払出口２４１Ａの下方に配置されたカードリーダ２４２Ａと、プリペイドカード１ａを貯留するカード貯留部２４３Ａとを備えている。本実施例では、カードリーダ２４２Ａはバーコード１０２を読み取るバーコードリーダである。カード払出装置２４０Ａは、カード貯留部２４３Ａに積み重ねられた最下位のプリペイドカード１ａをカード払出口２４１Ａに向けて水平状態で送り出し、プリペイドカード１ａがその全長の半分程度突出した程度まで払い出される。この払い出しの過程でカード払出口２４１Ａの下方に配置されたカードリーダ２４２Ａがプリペイドカード１ａに記録されたバーコード１０２を読み取る。
【手続補正３】
【補正対象書類名】明細書
【補正対象項目名】００４３
【補正方法】変更
【補正の内容】
【００４３】
通信Ｉ／Ｆ２８２は、制御装置２８１およびＬＡＮ１３に接続され、ＬＡＮ１３を介してデータを送受信する機能を有する。制御装置２８１に一時記憶されたカード識別情報ＣＩＤ、カード種別情報ＣＫＤ、支払金額情報ＭＮＹまたはプレイ有効期限情報ＰＶＬ、カード発行日時情報ＩＤＴは、カード発行装置識別情報ＵＩＤと共に、ＬＡＮ１３を介して後述の管理ＰＣ５に送信される。
【手続補正４】
【補正対象書類名】明細書
【補正対象項目名】００５６
【補正方法】変更
【補正の内容】
【００５６】
通信Ｉ/Ｆ４２０が管理ＰＣ５からゲーム機３におけるプレイを許可するプレイ許可情報を受信した場合、制御部４１０はプレイ可能信号生成部４１１を制御し、プレイ可能信号生成部４１１がプレイ可能信号ＰＡＳを生成する。生成されたプレイ可能信号ＰＡＳは、出力部４１２を介してゲーム機３に出力される。通信Ｉ/Ｆ４２０が管理ＰＣ５からゲーム機３におけるプレイを許可しないプレイ不許可情報を受信した場合、制御部４１０が表示部４０２に対してエラー表示をするよう制御する。
【手続補正５】
【補正対象書類名】明細書
【補正対象項目名】００５７
【補正方法】変更
【補正の内容】
【００５７】
（管理装置）
次に、図７を参照しながら、管理装置７について説明する。管理装置７は、管理ＰＣ５と、管理ＰＣ５に対しＬＡＮ１３を介して通信可能に接続されたサーバ装置とにより構成される。管理装置７は、カード１のカード識別情報ＣＩＤに関連付けて、カード種別情報ＣＫＤ、支払金額情報ＭＮＹまたはプレイ有効期限情報ＰＶＬ、カード発行日時情報ＩＤＴ、残高情報ＲＭＮおよびプレイ履歴情報ＰＨ（後述）等を記憶すると共に、それらの情報からカード１を使用したゲーム機３でのプレイ可否を判定し、プレイが行われる毎に残高情報ＲＭＮおよびプレイ履歴情報ＰＨを更新する機能を有する。換言すれば、管理装置７がカード１の利用状況を管理可能である。
【手続補正６】
【補正対象書類名】明細書
【補正対象項目名】００６５
【補正方法】変更
【補正の内容】
【００６５】
カード識別情報ＣＩＤは、５桁の数字で表記され、１０万枚のカード１を識別可能である。カード種別情報ＣＫＤは「１」〜「３」の１桁の数字で表記され、「１」はプリペイドカード１ａ、「２」はパックカード１ｂ、「３」は時間貸しカード１ｃを示している。カード発行装置識別情報ＵＩＤは２桁の数字で表記され、１００台のカード発行装置２を識別可能である。支払金額情報ＭＮＹは支払金額に応じた円単位の数値で表記されている。残高情報ＲＭＮは円単位の数値で表記される。時間貸しプレイ有効期限情報ＰＶＬは、１０桁の数字で表記され、上位から下位順の各２桁が「月」、「日」、「時」、「分」、「秒」を示している。この時間貸しプレイ有効期限情報ＰＶＬはカード種別情報ＣＫＤが「３」の場合にのみ有効であるため、カード種別情報ＣＫＤが「１」または「２」の場合には全１０桁が「０」の数字となる。プレイ禁止規制時間情報ＰＰＴは秒単位の数値で表記される。最終プレイ日時情報ＬＰＤＴは、カード発行日時情報ＩＤＴと同様に、２桁毎に「月」、「日」、「時」、「分」、「秒」を示す１０桁の数字で表記される。最終プレイ装置識別情報ＬＰＩＤは４桁の数字で表記される。プレイ可能装置識別情報ＰＡＩＤは、パックカード１ｂでプレイ可能なゲーム機３に対応するカード受付装置４の装置識別情報ＰＩＤであり、４桁の数字またはアスタリスク「＊」で表記される。アスタリスクの場合、全ての機種でのゲーム機３でプレイ可能である。
【手続補正７】
【補正対象書類名】明細書
【補正対象項目名】００７４
【補正方法】変更
【補正の内容】
【００７４】
続いて実行されるステップＳ６では、カード受付装置４が管理ＰＣ５に対し、カード識別情報ＣＩＤおよび装置識別情報ＰＩＤを送信してプレイが可能か否かの問い合わせを行う。なお、使用されたカード１がプリペイドカード１ａやパックカード１ｂの場合には、遊技者がカード受付装置４の選択ボタン４０３を操作して設定されたプレイ金額を示すプレイ金額情報ＰＭＮがカード識別情報ＣＩＤと共に管理ＰＣ５に送信される。
【手続補正８】
【補正対象書類名】明細書
【補正対象項目名】００７５
【補正方法】変更
【補正の内容】
【００７５】
カード受付装置４からのプレイ可否問い合わせを受けた管理ＰＣ５は、ステップＳ７において、受信したカード識別情報ＣＩＤをサーバ装置６に送信する。
【手続補正９】
【補正対象書類名】明細書
【補正対象項目名】００９０
【補正方法】変更
【補正の内容】
【００９０】
次のステップＳ３８では、図９のステップＳ１１において管理ＰＣ５から送信されたプレイ可否の判定結果が受信されたか否かが判定される。判定結果が受信されない場合にはステップＳ３８が繰り返し実行され、判定結果が受信された場合にはステップＳ３９に進む。換言すれば、ステップＳ３８において判定結果の受信待機状態にある。
【手続補正１０】
【補正対象書類名】明細書
【補正対象項目名】０１２４
【補正方法】変更
【補正の内容】
【０１２４】
上記実施例のゲーム場運営システムＧＭＳでは、プリペイドカード１ａ、パックカード１ｂおよび時間貸しカード１ｃの３種類のカード１を利用できるので、多様性に富んだプレイ形態を一つのシステムで実現できる。